(57)【特許請求の範囲】
【請求項１】
前面に扉体を備える筐体内に、ノズルを具備するホースを収納し、該ノズルへ消火水を供給する消火栓装置において、
前記筐体の内壁上面と内壁下面及び内壁背面を利用してホースが巻き込まれて、該ホースが内巻に収納されるホース収納部を備え、該ホース収納部内に、前記筐体の上面または下面に沿って該ホース収納部を左右に横切る電線横断路を形成したことを特徴とする消火栓装置。
【請求項２】
電線横断路は、筐体の上面または下面に対して一面に空間を形成する板を配置して構成する請求項１の消火栓装置。
【請求項３】
電線横断路は、筐体の上面または下面に沿って、ホースの外径と同径のパイプを通して構成する請求項１の消火栓装置。
【請求項４】
筐体内に、消火器を備える消火器収納部と、ホース収納部を備える消火栓収納部と、発信機や表示灯などの電気機器が取り付けられる電気機器部と、を配置し、前記電気機器部は、前記筐体に着脱可能な取付板に複数の電気機器を装着していることを特徴とする請求項１の消火栓装置。
【請求項５】
筐体内に、消火器を備える消火器収納部と、ホース収納部を備える消火栓収納部とを配置し、前記筐体の高さを前記消火器収納部の高さとして、前記消火栓収納部の高さを前記消火器収納部に合わせて構成していることを特徴とする請求項１の消火栓装置。
【発明の詳細な説明】
【０００１】
【産業上の利用分野】
本発明は、消火栓装置に関する。
【０００２】
【従来の技術】
従来のいわゆるトンネル向けの消火栓装置には、消火器が収納される消火器収納部と、先端にノズルを設けた消火用のホースを収納する消火栓収納部と、発信機や表示灯などの電気機器類を備える電気機器部とが組み合わされ、正面から見るときに、消火栓収納部の側方に消火器収納部が位置され、その消火器収納部の上側で消火栓収納部の側方に電気機器部が配置され、全体に長方形となるように構成されている。消火栓装置全体の高さとして、消火器収納部と電気機器部とを併せた高さが、消火栓収納部の高さとなっている。そして、電気機器部には、電源や各種信号線の複数の電線が引き込まれて接続されている。
【０００３】
【発明が解決しようとする課題】
上記のような消火栓装置の構成では、消火栓装置に対して左右等の一方から電線が引き込まれるが、通常消火栓装置の給水管の引き込みと同様の方向から引き込まれることが多く、消火栓収納部は、右側等に給水管の方向が固定されており、左側に電気機器部を備えるときに、右側から消火栓装置全体を貫通する如く配線されることになる。近年の小型化の要請からは、電線であってもそのスペースを確保することはむずかしい。
【０００４】
とくに、消火栓収納部にホースをいわゆる内巻式に収納する場合、そのホース収納部を消火栓装置断面全体を利用して巻き付けると、電線を通過させることはできず、引き込み方向を変えることや筐体の外を通過させるなどの対策が必要になる。
【０００５】
また、消火栓装置が、例えばトンネル内でその壁面に設けるときに、床面から高さをつけると、全体の位置は高くなり、例えば消火器の取り出しや電気機器の点検などが行いづらくなる。
【０００６】
したがって、本発明は、電線の配線が簡便となること、または、各部の操作性を保持することを目的とするものである。
【０００７】
【課題を解決するための手段】
上記の点に鑑み、本発明は、前面に扉体を備える筐体内に、ノズルを具備するホースを収納し、該ノズルへ消火水を供給する消火栓装置において、筐体の内壁上面と内壁下面及び内壁背面を利用してホースが巻き込まれて、該ホースが内巻に収納されるホース収納部を備え、該ホース収納部内に、筐体の上面または下面に沿って該ホース収納部を左右に横切る電線横断路を形成したことを特徴とする
【００１０】
【発明の実施の形態】
以下、本発明の一実施形態について図面により説明する。図１は消火栓装置の正面を、図２はそれを用いる消火栓装置全体を示すものである。図２において、消火栓装置１００は、消火用ホースを内巻に収納してなる、いわゆる内巻式の消火栓装置である。この消火栓装置１００は、例えばトンネル内の車道に隣接する監査路上に設置されたり、トンネルの内壁に埋設されて設置されたりするものである。
【００１１】
このような、消火栓装置１００は、消火栓収納部１００ａ、電気機器部１００ｂおよび消火器収納部１００ｃとに区分され、消火栓収納部１００ａは、その筐体１０１内に、先端に消火用のノズル３０を有するホース１０４、そのホース１０４を内巻に収納するホース収納部１０５、消火用水供給用配管１０６、三方切替弁１０７、圧力調整弁１０８、消火栓弁１０９、消防隊用給水栓１１０等を備えている。
【００１２】
ホース収納部１０５の前面には、ホース収納部１０５内よりホース１０４を引き出すため、及びホース収納部１０５内にホース１０４を収納するための開口部１０５ａが設けられており、筐体１０１の前面には、ホース収納部１０５の開口部１０５ａを筐体１０１の外部に露出させる、消火栓開口部１０１ａが設けられている。
【００１３】
ホース１０４は、いわゆる繊維製の円筒状織物を主体にしての内部にゴム張りしたライニングを形成した保形ホースに、さらに表面を平滑なテフロン加工して、耐久性、耐摩耗性が付与されると同時に、摩擦係数が低減されたものである。このテフロン層は、布やゴムが表面に露出するホースに比べて格段に摩擦係数が小さく、長く引っ張る必要があるほど、その効果が発揮される。このテフロン加工は、ホース１０４表面へ吹き付け塗装等で積層されるものであるが、フィルムの貼付などによるコーティングであってもよい。また、テフロン以外の摩擦係数の小さい材質を選択してもよい。さらに、主体のホースは布のみでもゴムホースであってもよい。
【００１４】
また、ホース１０４は、その内径が３０ｍｍから３８ｍｍの例えば３８ｍｍのものが用いられ、従来に比べて細くなっているので、水の重量として内径比の二乗で軽くなり、これを摩擦力に対比するときに、その重量に比例して引っ張る力が軽減され、そのため、消火栓装置としての操作性が向上する。また、このようなホース１０４を収納するホース収納部１０５のスペースも、従来に比べて小さいものとすることができる。
【００１５】
ホース収納部１０５は、ホースバケット１１２から形成されている。このホースバケット１１２は、筐体１０１の内壁上面から内壁下面に至る２本の棒状体１１３とその２本の棒状体１１３から筐体１０１の内壁背面に至る略Ｌ字状に屈曲した２枚の帯体１１４とからなり、２本の棒状体１１３の間に開口部１０５ａが形成されている。また、このホースバケット１１２の２枚の帯体１１４と筐体１０１の内壁上面と内壁下面との間にはその四隅に隅部開口部１１３ａが設けられている。このように、ホースバケット１１２が筐体１０１の内壁を利用することにより、ボックス形状によりホース収納部１０５を筐体１０１の内側に形成する場合に比較してホース収納部１０５を小型化することができ、それによって結果として消火栓装置１００を小型化することができ、さらに、ホースバケット１１２の開口部１０５ａからホース１０４をホースバケット１１２内に収納するときに、隅部開口部１１３ａから、どのようにホース１０４が巻き付けられているかを目視により確認することができ、隅部開口部１１３ａからホースバケット１１２内に手を入れてホース１０４を押し込んだり整えたりすることができるので、ホース１０４を整然と巻き付けることを容易に行うことができる。
【００１６】
さらに、ホース収納部１０５を構成するホースバケット１１２の上端には、筐体１０１内を左右に渡される電線横断路としてのダクト５１が形成されている。このダクト５１は、筐体１０１の上面に対して一面に空間を構成するよう略Ｌ字状の仕切板５２が配置され、図３および図４に示すように、仕切板５２の平面部５２ａに対して折曲部５２ｂが筐体１０１の上面に当接して空間を形成し、ホースバケット１１２内に内巻に収納されるホース１０４は、仕切板５２の平面部５２ａに当接して巻き付けられることになる。この仕切板５２がないと、ホース１０４の収納状態は、筐体１０１の背面側から上下面に渡り順次前面まで巻き付けられて電線が横切るスペースがなくなってしまうが、この仕切板５２によってダクト５１を形成することで簡便に電線を渡すことが可能となる。仕切板５２はホース１０４の巻き込み状態に影響を与えないように、棒状体１１３の部分まで、ホース収納部１０５に対して一面とされているが、ダクト５１が形成できれば中間までであってもよく、また、図５に示すように、ホース１０４と同径のパイプ５５を用いてホース１０４があるのと同じ状態を形成してもよい。このようなダクト５１は、筐体１０１の上面側でなく下面側としてもよく、その幅はホース収納部１０５を横切る寸法があればよい。
【００１７】
筐体１０１には、その消火栓開口部１０１ａを開閉自在にする前面扉として、消火栓開口部１０１ａの下縁を支点として上縁側が前方に開放動作する前傾扉６が設けられている。なお、この前傾扉６は、開状態においてほぼ水平位置に停止する如く例えばストッパが形成されて設けられているものであり、また、ダンパ等によって開放動作に緩衝機構が付与されている。
【００１８】
前傾扉６は、その内部に扉内蔵機構部６ａが設けられており、その扉内蔵機構部６ａを覆う裏板７が、前傾扉６の背面６ｂ側に設けられている。扉内蔵機構部６ａとしては、例えば、前傾扉６の開閉のために図示しないラッチ機構部や、消火栓弁１０９の開放機構としての開閉レバー１０の動力伝達のための機構がある。また、この前傾扉６の背面６ｂ側には、前傾扉６を閉じたときにホース収納部１０５の開口部１０５ａと対向する位置に収納凹部８が設けられており、この収納凹部８内にノズル３０を保持するとともに、ホース１０４のたるみ部１０４ｂを収納しておくことができる。これにより、前傾扉６とホース収納部１０５との間にノズル３０やホース１０４が挟まるおそれがないので隙間を大きく設ける必要がない。
【００１９】
また、ノズル３０は、その先端に放水口を有した直筒状の筒体３１と、基部３２ｂにホース１０４の先端接続部１０４ａが接続されるく字状の筒体３２と、筒体３１、３２の間に周方向に回動自在に接続する回動接続部３３と、操作性のために筒体３１からほぼ垂直に突出した把持部３８とからなる。ノズル３０は、前傾扉６に対して上辺に沿うように横向きにされてノズル支持部１０３に支持されて収納凹部８内に収納されている。このときに、回動接続部３３により筒体３２の基部３２ｂをホース収納部１０５の開口部１０５ａに向けることができるので、ホース１０４のたるみ部１０４ｂを大きく湾曲させる必要はなく、結果として、ノズル支持部１０３の設置位置に制限を与えず、全体的な配置によって消火栓装置１００を小さくすることができる。
【００２０】
つぎに、消火器収納部１００ｃにおいて、その筐体１０１の内壁下面上に、図示しない消火器を通常２本備えている。筐体１０１の正面には、消火器を出し入れ自由とするため、消火器開口部を開閉自在にする前面扉として、左側を支点として横開きに開放動作する消火器扉６ｃが設けられている。なお、この消火器扉６ｃには、消火器交換などの際に開状態を維持するように、詳細に示さないが、保持棒が備えられ、筐体１０１から消火器扉６ｃ側へ渡すことで、消火器扉６ｃの位置を固定することができる。この消火器収納部１００ｃの高さは、内蔵する消火器の高さに基づいてほぼ一定であり、必要以上に小型化することはできない。これに対して、消火栓収納部１００ａの高さは、ホース収納部１０５の高さに基づくが、このホース収納部１０５の高さについては内巻する場合に、高さに対して横幅を変形することである程度対応することができる。したがって、この消火栓装置１００では、消火栓収納部１００ａの高さを消火器収納部１００ｃの高さに合わせており、後述する電気機器部１００ｂをその間に配置することで、各部がほぼ横並びとなり、消火栓装置１００の設置高さによる操作性に不具合を発生させず、現場での施工も行いやすい。
【００２１】
さらに、電気機器部１００ｂにおいて、図１に示されるように、消火栓収納部１００ａおよび消火器収納部１００ｃの間の筐体１０１前面部分に取付板８１が四隅のねじ止めによって取り付けられていて、電気機器として、消火栓装置１００の位置を示すための表示灯８２、事故等の発生時に緊急に通報するための発信機８３、発信機８３使用時に発信に対する応答の有無を示すための応答ランプ８４、および、点検時等に図示しない防災センタと通話する際に用いられる電話ジャック８５が装着されている。これら以外に、非常用コンセントやスピーカが組み合わされてもよく、また、上記各機器をすべて具備している必要はない。
【００２２】
取付板８１は、筐体１０１に着脱可能であり、製造時の各機器の取り付けや保守点検の場合に作業が行いやすい。この取付板８１に、上記各電気機器を縦方向に整列して設けているので、消火栓装置１００全体の高さに対して効率的に配置され、装置１００全体の小型化に寄与している。また、この取付板８１の背面側に各機器に電源や信号線を接続された端子台８６が設けられている。トンネル内等の各消火栓装置１００間に渡されている電線は、筐体１０１のいずれかから引き込まれて端子台８６に結線することによって各機器に接続されることとなる。筐体１０１への電線引き込みは、給水管と同様に配置される場合が多く、いずれにしろ筐体１０１の右側に引き込まれる場合には、消火栓収納部１００ａのダクト５１を通して端子台８６まで配線することができるので、この実施形態では、筐体１０１のどこから引き込まれても、簡便に端子台８６まで配線することができる。この取付板８１は、４隅をねじ止めしているが、それ以外の取付方式であってもよく、フックを用いたりしてねじの数を省略してもよい。
【００２３】
以上のように、本発明は、前面に扉体を備える筐体内に、ノズルを具備するホースを収納し、該ノズルへ消火水を供給する消火栓装置において、筐体の内壁上面と内壁下面及び内壁背面を利用してホースが巻き込まれて、該ホースが内巻に収納されるホース収納部を備え、該ホース収納部内に、筐体の上面または下面に沿って該ホース収納部を左右に横切る電線横断路を形成したので、筐体のどの方向から電線が引き込まれても簡便に必要な端子台などに配線することが可能である。
【００２４】
また、筐体内に、消火器を備える消火器収納部と、ホース収納部を備える消火栓収納部と、発信機や表示灯などの電気機器が取り付けられる電気機器部と、を配置し、電気機器部は、筐体に着脱可能な取付板に複数の電気機器を装着しているので、各電気機器の取り付けや点検作業が行いやすい。
【００２５】
さらに、筐体内に、消火器を備える消火器収納部と、ホース収納部を備える消火栓収納部とを配置し、筐体の高さを消火器収納部の高さとして、消火栓収納部の高さを消火器収納部に合わせて構成しているので、消火栓装置の高さを縮小でき、さらに、電気機器部を縦並びに消火器収納部の横方向に整列して設けたので、作業性がよいとともに、全体的に小型化されることになる。
【図面の簡単な説明】
【図１】本発明を利用する消火栓装置を示す正面図。
【図２】図１の前傾扉を開放した状態の概略斜視図。
【図３】図１のホース収納部のみを示す概略斜視図。
【図４】図１のホース収納部の断面を示す概略断面図。
【図５】図４と同様の別の実施形態を示す概略断面図。
【符号の説明】
１００    消火栓装置
１００ａ  消火栓収納部
１００ｂ  電気機器部
１００ｃ  消火器収納部
１０１    筐体
１０４    ホース
１０５    ホース収納部
３０      ノズル
５１      ダクト（電線横断路）
８１      取付板
【図１】
0003670187.tif 000002
【図２】
0003670187.tif 000003
【図３】
0003670187.tif 000004
【図４】
0003670187.tif 000005
【図５】
0003670187.tif 000006